(57)【要約】【課題】市町村単位のような小区域単位での地域別放送を実現する。【解決手段】データ放送送出システム２は、予め割り当てられた期間を利用して複数の地域別ＣＭ（例えば、ＣＭ−ａ，ＣＭ−ｂ，ＣＭ−ｃ）を放送波に乗せて送出し、受信機側で地域識別情報をもとに地域別ＣＭを検出して蓄積する。そして、テレビ放送送出システム１は、地域別ＣＭの放送枠の所定時間前に放送波に乗せてトリガー信号を送出し、受信機はこのトリガー信号に基づいて、地域別ＣＭの放送枠に上記蓄積された地域別ＣＭを表示する。また、テレビ放送送出システム１は、地域別ＣＭの放送枠に地域共通ＣＭを送出し、地域別ＣＭが蓄積されていない受信機においては、地域別ＣＭの放送枠に地域共通ＣＭを表示する。【選択図】      図１
2007060538.tif 000002
【特許請求の範囲】
【請求項１】
放送局装置と、前記放送局装置から送出される放送波を受信する受信機とを備えるデジタル放送システムであって、
前記放送局装置は、
地域を指定する地域識別情報を有する複数の地域別素材を予め割り当てられた期間に前記放送波に乗せて送出する地域別素材送出手段と、
前記地域別素材の選択表示を指示するトリガー信号を前記地域別素材の放送枠の開始時刻の所定時間前に前記放送波に乗せて送出するトリガー信号送出手段と、
前記地域別素材の放送枠に地域共通素材を組み込んで前記放送波に乗せて送出する共通素材送出手段と
を具備し、
前記受信機は、
前記受信された放送波から複数の地域別素材を抽出して、予め設定された地域識別情報と照合して該当する地域別素材を取得する第１の素材取得手段と、
前記第１の素材取得手段で取得された地域別素材をデータ記憶部に蓄積する蓄積手段と、
前記受信された放送波から前記トリガー信号を検出するトリガー信号検出手段と、
前記トリガー信号の検出時に、前記地域別素材が蓄積されているか否かを判定する判定手段と、
前記地域別素材が蓄積されていると判定された場合に、前記トリガー信号による指示に基づいて前記地域別素材を選択的に読み出し、前記地域別素材の放送枠で前記地域共通素材と差し替えて表示し、前記地域別素材が蓄積されていないと判定された場合には、前記地域別素材の放送枠にて前記地域共通素材を表示する表示手段と
を具備することを特徴とするデジタル放送システム。
【請求項２】
予め前記複数の地域別素材が格納される地域別素材サーバにブロードバンド回線を介して前記受信機が接続される場合に、
前記受信機は、前記判定手段により前記地域別素材が蓄積されていないと判定された場合に、前記トリガー信号による指示に基づいて前記地域別素材サーバから前記ブロードバンド回線を介して前記地域識別情報に該当する地域別素材を取得する第２の素材取得手段をさらに具備することを特徴とする請求項１記載のデジタル放送システム。
【請求項３】
デジタル放送による放送波を送出する放送局装置であって、
地域を指定する地域識別情報を有する複数の地域別素材を予め割り当てられた期間に前記放送波に乗せて送出する地域別素材送出手段と、
前記地域別素材の選択表示を指示するトリガー信号を前記地域別素材の放送枠の開始時刻の所定時間前に前記放送波に乗せて送出するトリガー信号送出手段と、
前記地域別素材の放送枠に地域共通素材を組み込んで前記放送波に乗せて送出する共通素材送出手段と
を具備することを特徴とする放送局装置。
【請求項４】
放送局装置から送出される、地域を指定する地域識別情報を有する複数の地域別素材と、前記地域別素材の放送枠の開始時刻の所定時間前に前記地域別素材の選択表示を指示するトリガー信号と、前記地域別素材の放送枠に組み込まれた地域共通素材とを乗せた放送波を受信する受信機であって、
前記受信された放送波から複数の地域別素材を抽出して、予め設定された地域識別情報と照合して該当する地域別素材を取得する第１の素材取得手段と、
前記第１の素材取得手段で取得された地域別素材をデータ記憶部に蓄積する蓄積手段と、
前記受信された放送波から前記トリガー信号を検出するトリガー信号検出手段と、
前記トリガー信号の検出時に、前記地域別素材が蓄積されているか否かを判定する判定手段と、
前記地域別素材が蓄積されていると判定された場合に、前記トリガー信号による指示に基づいて前記地域別素材を選択的に読み出し、前記地域別素材の放送枠で前記地域共通素材と差し替えて表示し、前記地域別素材が蓄積されていないと判定された場合には、前記地域別素材の放送枠にて前記地域共通素材を表示する表示手段と
を具備することを特徴とする受信機。
【請求項５】
予め前記複数の地域別素材が格納される地域別素材サーバにブロードバンド回線を介して接続される場合に、
前記判定手段により前記地域別素材が蓄積されていないと判定された場合に、前記トリガー信号による指示に基づいて前記地域別素材サーバから前記ブロードバンド回線を介して前記地域識別情報に該当する地域別素材を取得する第２の素材取得手段をさらに具備することを特徴とする請求項４記載の受信機。
【請求項６】
放送局装置と、前記放送局装置から送出される放送波を受信する受信機とを備えるデジタル放送システムに用いられ、
前記放送局装置は、
地域を指定する地域識別情報を有する複数の地域別素材を予め割り当てられた期間に前記放送波に乗せて送出する地域別素材送出ステップと、
前記地域別素材の選択表示を指示するトリガー信号を前記地域別素材の放送枠の開始時刻の所定時間前に前記放送波に乗せて送出するトリガー信号送出ステップと、
前記地域別素材の放送枠に地域共通素材を組み込んで前記放送波に乗せて送出する共通素材送出ステップと
を具備し、
前記受信機は、
前記受信された放送波から複数の地域別素材を抽出して、予め設定された地域識別情報と照合して該当する地域別素材を取得する第１の素材取得ステップと、
前記第１の素材取得手段で取得された地域別素材をデータ記憶部に蓄積する蓄積ステップと、
前記受信された放送波から前記トリガー信号を検出するトリガー信号検出ステップと、
前記トリガー信号の検出時に、前記地域別素材が蓄積されているか否かを判定する判定ステップと、
前記地域別素材が蓄積されていると判定された場合に、前記トリガー信号による指示に基づいて前記地域別素材を選択的に読み出し、前記地域別素材の放送枠で前記地域共通素材と差し替えて表示し、前記地域別素材が蓄積されていないと判定された場合には、前記地域別素材の放送枠にて前記地域共通素材を表示する表示ステップと
を具備することを特徴とする地域別放送提供方法。
【請求項７】
予め前記複数の地域別素材が格納される地域別素材サーバにブロードバンド回線を介して前記受信機が接続される場合に、
前記受信機は、前記判定手段により前記地域別素材が蓄積されていないと判定された場合に、前記トリガー信号による指示に基づいて前記地域別素材サーバから前記ブロードバンド回線を介して前記地域識別情報に該当する地域別素材を取得する第２の素材取得ステップをさらに具備することを特徴とする請求項３記載の地域別放送提供方法。
【発明の詳細な説明】
【技術分野】
【０００１】
この発明は、例えば、地上デジタル放送などのデジタル放送システムとその放送局装置と受信機及び地域別放送提供方法に関する。
【背景技術】
【０００２】
一般的に、テレビＣＭ（Commercial Message）は全国一律や地方局での県域単位での放送となり、県内でＣＭ内容を地域別にするには、送信機、送信所を分けて設置し、ＣＭを差し替えて放送する必要があり、多大なコストと手間が掛かる。このため、市町村のような小区域単位でのＣＭ対応は困難である。データ放送を利用して、受信機側で地域別のコンテンツを選択する方法があるが、取り扱えるデータ量が少ないため、リアルタイムで動画レベルの対応は困難である。
【０００３】
そこで、例えば、ＣＭ用サーバを設けて、放送波によりＣＭ用サーバのアドレスを送信することで、受信機がＣＭ用サーバに接続して特定地域のＣＭを取得し表示する手法が提案されている（特許文献１を参照。）。
【特許文献１】特開２００２−６４８０３公報
【発明の開示】
【発明が解決しようとする課題】
【０００４】
ところが、ＣＭの放送範囲はスポンサーの商圏に対応するもので、ナショナルブランド商品の場合には、キー局から全国放送、県内一円を商圏とする大企業の場合には、所属する地方局から県域での放送を行うものである。しかし、一県全域を商圏とする地方スポンサーは多くないため、商圏でない範囲まで放送が提供されてしまう。または、商圏が小さいため放送の対象外で、新聞チラシなどの別の広告手段を採用することになる。
【０００５】
この発明は上記事情に着目してなされたもので、その目的とするところは、市町村単位のような小区域単位での地域別放送を実現するデジタル放送システムとその放送局装置と受信機及び地域別放送提供方法を提供することにある。
【課題を解決するための手段】
【０００６】
上記目的を達成するためにこの発明に係わるデジタル放送システム及び地域別放送提供方法は、放送局装置と、前記放送局装置から送出される放送波を受信する受信機とを備えるデジタル放送システムであって、前記放送局装置は、地域を指定する地域識別情報を有する複数の地域別素材を予め割り当てられた期間に前記放送波に乗せて送出する地域別素材送出手段と、前記地域別素材の選択表示を指示するトリガー信号を前記地域別素材の放送枠の開始時刻の所定時間前に前記放送波に乗せて送出するトリガー信号送出手段と、前記地域別素材の放送枠に地域共通素材を組み込んで前記放送波に乗せて送出する共通素材送出手段とを具備する。また、前記受信機は、前記受信された放送波から複数の地域別素材を抽出して、予め設定された地域識別情報と照合して該当する地域別素材を取得する第１の素材取得手段と、前記第１の素材取得手段で取得された地域別素材をデータ記憶部に蓄積する蓄積手段と、前記受信された放送波から前記トリガー信号を検出するトリガー信号検出手段と、前記トリガー信号の検出時に、前記地域別素材が蓄積されているか否かを判定する判定手段と、前記地域別素材が蓄積されていると判定された場合に、前記トリガー信号による指示に基づいて前記地域別素材を選択的に読み出し、前記地域別素材の放送枠で前記共通素材と差し替えて表示し、前記地域別素材が蓄積されていないと判定された場合には、前記地域別素材の放送枠にて前記地域共通素材を表示する表示手段とを具備するものである。
【０００７】
また、この発明の放送局装置は、デジタル放送による放送波を送出する放送局装置であって、地域を指定する地域識別情報を有する複数の地域別素材を予め割り当てられた期間に前記放送波に乗せて送出する地域別素材送出手段と、前記地域別素材の選択表示を指示するトリガー信号を前記地域別素材の放送枠の開始時刻の所定時間前に前記放送波に乗せて送出するトリガー信号送出手段と、前記地域別素材の放送枠に地域共通素材を組み込んで前記放送波に乗せて送出する共通素材送出手段とを具備する。
【０００８】
また、この発明の受信機は、放送局装置から送出される、地域を指定する地域識別情報を有する複数の地域別素材と、前記地域別素材の放送枠の開始時刻の所定時間前に前記地域別素材の選択表示を指示するトリガー信号と、前記地域別素材の放送枠に組み込まれた地域共通素材とを乗せた放送波を受信する受信機であって、前記受信された放送波から複数の地域別素材を抽出して、予め設定された地域識別情報と照合して該当する地域別素材を取得する第１の素材取得手段と、前記第１の素材取得手段で取得された地域別素材をデータ記憶部に蓄積する蓄積手段と、前記受信された放送波から前記トリガー信号を検出するトリガー信号検出手段と、前記トリガー信号の検出時に、前記地域別素材が蓄積されているか否かを判定する判定手段と、前記地域別素材が蓄積されていると判定された場合に、前記トリガー信号による指示に基づいて前記地域別素材を選択的に読み出し、前記地域別素材の放送枠で前記地域共通素材と差し替えて表示し、前記地域別素材が蓄積されていないと判定された場合には、前記地域別素材の放送枠にて前記地域共通素材を表示する表示手段とを具備するものである。
【０００９】
上記構成によるデジタル放送システムとその放送局装置と受信機及び地域別放送提供方法では、放送局装置から地域識別情報を有する複数の地域別素材を予め送信し、受信機側で地域識別情報に該当する地域別素材を取得して蓄積する。そして、放送波に乗せて送出されるトリガー信号に基づいて、受信機に蓄積された地域別素材を表示するようにしている。このように構成することで、不特定多数を対象としたサーバプッシュ型で、市町村のような小区域単位による地域別放送を提供することが可能となる。
【発明の効果】
【００１０】
したがってこの発明によれば、市町村単位のような小区域単位での地域別放送を実現するデジタル放送システムとその放送局装置と受信機及び地域別放送提供方法を提供することができる。
【発明を実施するための最良の形態】
【００１１】
以下、図面を参照しながら本発明の実施の形態を詳細に説明する。  
この発明のデジタル放送システムは、放送局側に、テレビ放送送出システム１と、データ放送送出システム２と、ＣＭ映像素材３と、ＭＵＸ（Multiplexer：多重装置）４と、送信機５と、地域別ＣＭサーバ６とを備える。また、受信機には、それぞれの地域に設けられるサーバ型受信機７Ａ，７Ｂ，７Ｃと、ＢＢ（Broadband：ブロードバンド）接続受信機８Ｂ，８Ｃとを備える。
【００１２】
テレビ放送送出システム１は、地上波デジタル放送を送出するデジタル放送送出システムである。データ放送送出システム２は、蓄積型データ放送サービスを提供する放送送出システムである。テレビ放送送出システム１の放送波によりリアルタイムに提供されるＢＭＬ（Broadcast Markup Language：放送用マークアップ言語）等に基づいて、上記蓄積型データの文字や動画がテレビ画面上に関連付けられて表示される。ＣＭ映像素材３には、地域識別情報を有する複数の地域別ＣＭや地域共通ＣＭの素材映像が格納される。ＭＵＸ４は、テレビ放送送出システム１とデータ放送送出システム２とからの送出データを多重化処理し、この多重化データが送信機５を介して伝送符号化されたのち放送波として送出される。
【００１３】
一方、サーバ型受信機７Ａ，７Ｂ，７Ｃは、ハード・ディスク等の記憶装置を備えた蓄積型データ放送の受信機能を有するデジタル放送受信装置である。また、地域別ＣＭサーバ６は、例えばＩＳＰ（Internet Service Provider：インターネット接続事業者）により設けられ、受信機からの要求に応じて地域別ＣＭを送出するサーバ装置である。地域別ＣＭサーバ６は、アクセスが短時間に集中するために複数のミラーサイトを形成している。ＢＢ接続受信機８Ｂ，８Ｃは、ブロードバンド回線を介して地域別ＣＭサーバ６と接続されるデジタル放送受信装置である。
【００１４】
次に、このように構成されるデジタル放送システムの動作について説明する。図２は、デジタル放送システムにおける地域別ＣＭ放送の手順とその内容を示すシーケンス図である。  
先ず、ステップＳ２ａにおいて、データ放送送出システム２は、予め割り当てられた期間（例えば、深夜などの放送の空き時間）に地域別ＣＭ（例えば、ＣＭ−ａ，ＣＭ−ｂ，ＣＭ−ｃ：Ａ地区、Ｂ地区、Ｃ地区に対応するＣＭ素材）を送出する。このとき、ＣＭ−ａ，ｂ，ｃは、各地区に対応する地域識別情報（例えば、郵便番号）と共に送られる。サーバ型受信機７Ａ，７Ｂ，７Ｃは、ステップＳ２ｂにおいてＣＭ−ａ，ｂ，ｃを受信すると、各受信機に予め設定された地域識別情報と照合して、地域に該当するＣＭを検出する。そして、ステップＳ２ｃにおいて、上記検出された地域別ＣＭのみを記憶装置に蓄積する。つまり、Ａ地区に存在するサーバ型受信機７ＡにはＣＭ−ａ、Ｂ地区に存在するサーバ型受信機７ＢにはＣＭ−ｂ、Ｃ地区に存在するサーバ型受信機７ＣにはＣＭ−ｃがそれぞれ蓄積される。
【００１５】
このような状態で、テレビ放送送出システム１は、ステップＳ２ｄにおいて、地域別ＣＭの放送枠の開始時刻の所定時間前を検知すると、ステップＳ２ｅにより、地域別ＣＭの選択表示を指示するトリガー信号を挿入したＢＭＬを放送波に乗せて送出する。受信機は、受信された放送波に含まれるＢＭＬから上記トリガー信号を検出すると、ステップＳ２ｆにおいて、地域別ＣＭが記憶装置に蓄積されているか否かを判定する。そして、地域別ＣＭが蓄積されていると判定された場合は、ステップＳ２ｊに移行して上記検出されたトリガー信号による指示に基づいて、蓄積された地域別ＣＭを読み出し表示する。これにより、サーバ型受信機７Ａ，７Ｂ，７Ｃでは、地域別ＣＭの放送枠の開始時刻になると、各地域別ＣＭであるＣＭ−ａ，ＣＭ−ｂ，ＣＭ−ｃがそれぞれ表示される。
【００１６】
一方、ステップＳ２ｆの判定において、地域別ＣＭが蓄積されていないと判定された場合は、ステップＳ２ｇに移行し、ブロードバンド回線を介して地域別ＣＭサーバ６に接続されているか否かを判定する。この判定において、受信機が地域別ＣＭサーバ６に接続されている場合には、ステップＳ２ｈに移行して、地域別ＣＭサーバ６に対し、地域識別情報と共に地域別ＣＭの取得要求を送信する。地域別ＣＭサーバ６は、ステップＳ２ｉにおいて、上記取得要求に応じて、地域識別情報をもとに該当する地域別ＣＭを送信する。このようにして、ＢＢ接続受信機８Ｂ，８Ｃでは、それぞれの地域に該当する地域別ＣＭであるＣＭ−ｂ，ＣＭ−ｃを地域別ＣＭサーバ６から取得し、ステップＳ２ｊにおいて上記トリガー信号に基づいて地域別ＣＭの放送枠に取得したＣＭ−ｂ，ＣＭ−ｃをそれぞれ表示する。
【００１７】
また、ステップＳ２ｋにおいて、テレビ放送送出システム１は、地域別ＣＭの放送枠に地域共通ＣＭを組み込んで放送波に乗せ送出する。ステップＳ２ｆ及びステップＳ２ｇの判定により、地域別ＣＭが蓄積されておらず、かつブロードバンド回線を介して地域別ＣＭサーバ６に接続されていないと判定された受信機では、ステップＳ２ｌに移行し、地域別ＣＭの放送枠に上記送出される地域共通ＣＭを表示する。
【００１８】
以上述べたようにこの発明では、データ放送送出システム２は、予め割り当てられた期間を利用して複数の地域別ＣＭ（ＣＭ−ａ，ＣＭ−ｂ，ＣＭ−ｃ）を放送波に乗せて送出し、受信機側で地域識別情報をもとに地域別ＣＭを検出して蓄積する。そして、テレビ放送送出システム１は、地域別ＣＭの放送枠の所定時間前に放送波に乗せてトリガー信号を送出し、受信機はこのトリガー信号に基づいて地域別ＣＭの放送枠に上記蓄積された地域別ＣＭを表示する。また、テレビ放送送出システム１は、地域別ＣＭの放送枠に地域共通ＣＭを送出し、地域別ＣＭが蓄積されていない受信機においては、地域別ＣＭの放送枠に地域共通ＣＭを表示するようにしている。
【００１９】
したがって上記実施形態によれば、不特定多数を対象としたサーバプッシュ型で、市町村のような小区域単位によるＣＭ提供を実現することが可能となる。例えば、郵便番号レベルでの地域別のＣＭが可能となり、市町村を商圏とする中小規模の小売店の広告や地域連絡にテレビ放送を利用することができる。このため、テレビ広告の利用対象者が増加すると共に、地域別でのきめ細かな一斉広報媒体が利用できることにより、地域の活性化を図ることができる。
【００２０】
また、受信機に地域別ＣＭが蓄積されていない場合でも、ブロードバンド回線を介して地域別ＣＭサーバ６に接続される受信機では、地域別ＣＭサーバ６からブロードバンド回線を介して地域別ＣＭを事前に取得するようにしている。このようにすると、ブロードバンド回線を使用することでトリガー信号を受信した時点でも短時間に地域別ＣＭを取得することができるため、さらに確実に地域別ＣＭを提供することが可能である。
【００２１】
なお、この発明は、上記実施形態に限定されるものではない。例えば、地域別素材としては、ＣＭだけでなく、特定地域に関する情報番組などを共通番組に差し替えて提供することも可能である。また、デジタル放送システムの構成及び動作手順とその内容についてもこの発明を逸脱しない範囲で種々に変形して実施できるものとする。
【００２２】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００２３】
【図１】この発明に係わるデジタル放送システムの一実施形態を示すシステム構成図。
【図２】図１に示すデジタル放送システムの地域別ＣＭ放送の手順とその内容を示すシーケンス図。
【符号の説明】
【００２４】
１…テレビ放送送出システム、２…データ放送送出システム、３…ＣＭ映像素材、４…ＭＵＸ、５…送信機、６…地域別ＣＭサーバ、７Ａ，７Ｂ，７Ｃ…サーバ型受信機、８Ｂ，８Ｃ…ＢＢ接続受信機。
【図１】
2007060538.tif 000003
【図２】
2007060538.tif 000004